(57)【要約】【課題】分注された検体に検体の識別情報を容易に付与できるように、検体の識別情報を記録するＩＣタグを備えた検体容器を提供する。【解決手段】検体容器２は、一端が閉じ他端に開口部を有する筒状の収容部４を備え、この収容部４は、採取された検体を識別するための情報を記録する複数のＩＣタグ６を備える。また、検体容器２は、収容部４の開口部を閉じる蓋部７を備えている。ＩＣタグ６は、検体を分注する際に用いられる分注ヘッドにより吸引及び吐出が可能な大きさのＩＣタグ（ＩＣビーズ）であり、収容部４に収容された検体の検体ＩＤ、受付日等を含む検体の識別情報を記録する。また、ＩＣタグ６は、検体の性状に影響を与えない素材、例えば、ＰＥＴ（ｐｏｌｙｅｔｈｙｌｅｎｅ　ｔｅｒｅｐｈｔｈａｌａｔｅ）等によりコーティングされている。【選択図】　図１
2004093520.tif 000002
【特許請求の範囲】
【請求項１】
一端が閉じ他端に開口部を有する筒状の収容部を備える検体容器であって、
前記収容部内に少なくとも２以上のＩＣタグを備えることを特徴とする検体容器。
【請求項２】
前記ＩＣタグは、前記収容部に収容される検体を分注する際に用いられる分注ヘッドにより、前記検体と共に吸引、吐出が可能な大きさであることを特徴とする請求項１記載の検体容器。
【請求項３】
前記ＩＣタグは、前記収容部に収容される検体の性状に影響を与えることがない素材によりコーティングされていることを特徴とする請求項１又は請求項２記載の検体容器。
【請求項４】
前記素材は、前記収容部を形成する素材と同一の素材であることを特徴とする請求項３記載の検体容器。
【請求項５】
前記ＩＣタグは、少なくとも前記収容部に収容される検体の識別情報を記録することを特徴とする請求項１〜請求項４の何れか一項に記載の検体容器。
【発明の詳細な説明】
【０００１】
【発明の属する技術分野】
この発明は、血液、血漿、血清等の検体を収容する検体容器に関するものである。
【０００２】
【従来の技術】
従来、検査に用いる血液、血漿、血清等の検体は、医療機関等において採取され、試験管等により構成される検体容器に収容されて検査機関に搬送される。検査機関においては、搬入された検体について受付処理を行った後に、検体を保管して依頼された検査を行っている。即ち、受付処理、例えば、検査機関に搬入された検体を収容した検体容器に、検体番号、受付日等を含む検体の識別情報を記載したラベルを貼り付ける等の処理を行い（例えば、特許文献１参照）、検体を保管している。また、保管されている検体の検査は、検体と共に医療機関等から搬入された検査依頼書の記載内容に基づいて行われる。
【０００３】
【特許文献１】
特開平８−２８５８５５号公報
【０００４】
【発明が解決しようとする課題】
ところで、検体の検査は、保管されている検体を分注し、分注された検体を用いて行われる。この場合には、分注された検体を収容した検体容器に検体の識別情報を記載したラベルを貼り付ける等の処理が必要となり、多大な労力を必要としていた。また、検査を行う際には、ラベルに記載されている識別情報に基づいて検体を識別しているため、ラベルの読み間違えによる検体の取り違え事故が発生する可能性がある。更に、分注された検体を収容した検体容器に誤ったラベルを貼り付けてしまう等により、検体の取り違え事故が発生する可能性もある。
【０００５】
この発明の課題は、分注された検体に検体の識別情報を容易に付与できるように、検体の識別情報を記録するＩＣタグを備えた検体容器を提供することである。
【０００６】
【課題を解決するための手段】
請求項１記載の検体容器は、一端が閉じ他端に開口部を有する筒状の収容部を備える検体容器であって、前記収容部内に少なくとも２以上のＩＣタグを備えることを特徴とする。
【０００７】
この請求項１記載の検体容器によれば、収容部内に備えられている複数のＩＣタグに同一の検体の識別情報を記録させることができる。従って、分注した検体に同一の識別情報を記憶したＩＣタグを入れることにより、分注した検体に検体の識別情報を容易に付与することができる。
【０００８】
また、請求項２記載の検体容器は、前記ＩＣタグが前記収容部に収容される検体を分注する際に用いられる分注ヘッドにより、前記検体と共に吸引、吐出が可能な大きさであることを特徴とする。
【０００９】
この請求項２記載の検体容器によれば、分注装置による検体の分注と同時にＩＣタグを分割することができ、分注容器へのラベル貼り付け作業を省略することができる。
【００１０】
また、請求項３記載の検体容器は、前記ＩＣタグが前記収容部に収容される検体の性状に影響を与えることがない素材によりコーティングされていることを特徴とする。
【００１１】
この請求項３記載の検体容器によれば、ＩＣタグが検体の性状に影響を与えない素材でコーティングされているため、ＩＣタグをコーティングしている素材により検体の検査結果に影響を与えることを防止することができる。
【００１２】
また、請求項４記載の検体容器は、前記素材が前記収容部を形成する素材と同一の素材であることを特徴とする。この請求項４記載の検体容器によれば、収容部を形成する素材と同一の素材でＩＣタグがコーティングされているため、収容部に収容される検体の性状に影響を与えることを確実に防止することができる。
【００１３】
また、請求項５記載の検体容器は、前記ＩＣタグが少なくとも前記収容部に収容される検体の識別情報を記録することを特徴とする。この請求項５記載の検体容器によれば、検体と該検体の識別情報を記録したＩＣタグとが共に収容部に収容されているため、検体の識別情報と検体とを一体として管理し、取り扱うことができる。
【００１４】
【発明の実施の形態】
以下、図面を参照して、この発明の実施の形態に係る検体容器について説明する。図１は、この発明の実施の形態に係る検体容器の外観図である。この検体容器２は、一端が閉じ他端に開口部を有する円筒状の収容部４を備え、この収容部４には、採取された検体を識別するための情報（識別情報）を記録する複数のＩＣタグ６が収容されている。また、検体容器２は、複数のＩＣタグ６を収容した収容部４の開口部を閉じる蓋部７を備えている。なお、収容部４は、例えば、ポリエステル、ポリエチレン又はポリプロピレン等の素材により形成されている。
【００１５】
ここで、収容部４に収容されているＩＣタグ６としては、非接触で情報の読み取り及び書き込みが可能なもの、例えば、ＲＦＩＤ（Ｒａｄｉｏ　Ｆｒｅｑｕｅｎｃｙ　Ｉｄｅｎｔｉｆｉｃａｔｉｏｎ）タグ等が用いられる。また、このＩＣタグ６としては、検体を分注する際に用いられる分注ヘッドにより吸引及び吐出が可能な大きさのもの、例えば、０．４ｍｍ角程度の大きさのＩＣタグ（ＩＣビーズ）が用いられる。このＩＣタグ６には、情報を記録するデータ記憶部を備えた微細なＩＣチップ（図示せず）及びＩＣタグ６に対して送信された情報の受信を行うと共に、データ記憶部に記録されている情報の送信を行うアンテナ（図示せず）が備えられている。なお、このような微細なＩＣチップとして、紙幣や株券等の有価証券に漉き込むことができるＩＣチップが存在する（特開２００１−２６０５８０号公報参照）。
【００１６】
また、収容部４に収容されているＩＣタグ６は、液体侵入を防止すべく、収容部４を形成する素材と同一の素材、例えば、収容部４がポリエステルにより形成されている場合には、ポリエステルによりコーティングされている。また、収容部４がポリエチレンにより形成されている場合にはポリエチレンにより、収容部４がポリプロピレンにより形成されている場合にはポリプロピレンによりコーティングされている。
【００１７】
図２は、この発明の実施の形態に係る他の検体容器の外観図である。この検体容器８は、一端が閉じ他端に開口部を有する円筒状の収容部１０を備え、この収容部１０には、採取された検体を識別するための情報（識別情報）を記録する複数のＩＣタグ１２が収容されている。また、検体容器８は、複数のＩＣタグ１２を収容した収容部１０の開口部を閉じる蓋部７を備えている。なお、収容部１０は、例えば、ポリエステル、ポリエチレン又はポリプロピレン等の素材により形成されている。
【００１８】
ここで、図２に示す検体容器８においては、収容部１０に収容されているＩＣタグ１２が、図１に示す検体容器２とは異なっている。即ち、ＩＣビーズに代えて図２に示すような短冊状のＩＣタグであって、収容部１０を形成する素材と同一の素材、例えば、ポリエステル、ポリエチレン又はポリプロピレン等の素材によりコーティングされているＩＣタグが収容部１０に収容されている。
【００１９】
図３は、検体１４を収容した検体容器２の外観図である。患者から採取された血液等の検体１４は、ＩＣタグ６が収容されている収容部４に収容される。ここで、検体を採取する際に、例えば、ＩＣタグライタを介して検体容器２の収容部４に収容されている複数のＩＣタグ６に検体ＩＤ、受付日等を含む検体の識別情報が書き込まれる。なお、ＩＣタグライタからアンテナを介して送信される識別情報のデータは、収容部４に収容されている複数のＩＣタグ６の各々において受信され、収容されている全てのＩＣタグ６に同一の識別情報が記録される。また、ＩＣタグ６としてＩＣビーズを用いている場合には、図３に示すようにＩＣタグ６が検体中に浮遊する。
【００２０】
この実施の形態に係る検体容器によれば、ＩＣタグが収容部内に備えられているため、検査終了後にＩＣタグを回収し、洗浄滅菌を施すことによりＩＣタグを容易に再利用することができる。
【００２１】
また、この実施の形態に係る検体容器によれば、検体と共に検体の識別情報を記録したＩＣタグが収容部に収容されているため、分注した検体にＩＣタグを入れることにより、分注した検体に検体の識別情報を容易に付与することができる。
【００２２】
また、この実施の形態に係る検体容器によれば、ＩＣタグが収容部を形成する素材と同一の素材によりコーティングされている。従って、ＩＣタグをコーティングしている素材により検体の検査結果に影響を与えることを防止することができる。
【００２３】
なお、上述の実施の形態に係る検体容器においては、ＩＣタグが収容部を形成する素材と同一の素材によりコーティングされているが、同一の素材に限らず、検体容器の収容部に収容される検体の性状に影響を与えない素材、例えば、ＰＥＴ（ｐｏｌｙｅｔｈｙｌｅｎｅ　ｔｅｒｅｐｈｔｈａｌａｔｅ）等によりＩＣタグをコーティングするようにしてもよい。
【００２４】
次に、この発明の実施の形態に係る検体容器を用いて検体の分注を行う場合について説明する。なお、以下においては、図１に示す検体容器を用いて検体の分注を行う場合について説明する。
【００２５】
図４は、検体容器に収容されている検体を分注する際に用いる分注装置２０の概略構成図である。この分注装置２０は、元検体用検体容器２４に収容されている検体を、分注検体用検体容器２６に分注するものである。なお、元検体用検体容器２４は、図１に示す検体容器２と同一の構成であり、分注検体用検体容器２６は試験管等により構成されている。また、分注装置２０は、水平方向及び垂直方向に移動可能な分注ヘッド２２を有している。
【００２６】
図５は、分注装置２０のブロック構成図である。この分注装置２０は、分注装置２０の全体を制御する制御部３０を備えている。この制御部３０には、分注ヘッド２２の駆動制御を行う分注ヘッド駆動部３２及び検体の吸引、吐出を行うためのポンプ３４が接続されている。
【００２７】
次に、図６のフローチャートを参照して実施の形態に係る検体容器を用いた検体の分注処理について説明する。まず、図７（ａ）に示すように、制御部３０からの制御信号に基づいて、分注ヘッド駆動部３２により分注ヘッド２２を駆動し、元検体用検体容器２４上に移動させ、更に元検体用検体容器２４の収容部内に分注ヘッド２２を挿入する（ステップＳ１０）。
【００２８】
次に、制御部３０からの制御信号に基づいて、ポンプ３４により元検体用検体容器２４に収容されている元検体を必要量だけ吸引する（ステップＳ１１）。ここで、検体容器２４の収容部に収容されているＩＣタグも元検体と共にポンプ３４により吸引される。
【００２９】
次に、図７（ｂ）に示すように、制御部３０からの制御信号に基づいて、分注ヘッド駆動部３２により分注ヘッド２２を駆動し、分注検体用検体容器２６上に移動させ、更に分注検体用検体容器２６の収容部内に分注ヘッド２２を挿入する（ステップＳ１２）。
【００３０】
次に、制御部３０からの制御信号に基づいて、ポンプ３４を制御し分注検体用検体容器２６内に吸引した検体を吐出する（ステップＳ１３）。ここで、吸引されたＩＣタグを検体と共に分注検体用検体容器２６内に吐出する。
【００３１】
この実施の形態に係る検体容器を用いた分注処理によれば、分注ヘッドを元検体用検体容器内に挿入して元検体の一部と共に、検体の識別情報を記録したＩＣタグを吸引し、分注ヘッドを分注検体用検体容器内に挿入して吸引した元検体と共にＩＣタグを吐出している。従って、検体の分注を行うのと同時に、検体の識別情報を記録したＩＣタグが分割され、分注の際に分注検体用検体容器に検体の識別情報を記載したラベルの貼り付け等を行う必要がなく、分注の際の労力を軽減することができる。
【００３２】
また、検体とＩＣタグとを一体として分注の処理を行っているため、ラベルの貼り間違え等による検体の取り違え事故を適切に防止することができる。また、検体と共に検体の識別情報を記録したＩＣタグが分注検体用検体容器に収容されるため、誤って分注が行われてしまった場合であっても、分注された検体がどの被験者の検体であるかを容易に特定することができる。
【００３３】
なお、上述の実施の形態に係る検体容器を用いた検体の分注処理においては、分注ヘッドにより検体と共にＩＣタグが吸引、吐出される場合を例としているが、検体とは別にＩＣタグを分注検体用検体容器に移すようにしてもよい。即ち、図２に示すような短冊状のＩＣタグが元検体用検体容器の収容部に収容されている場合には、分注検体用検体容器に検体を分注した後等に、元検体用検体容器から収容されているＩＣタグの中の一枚を取り出し、分注検体用検体容器に投入するようにしてもよい。
【００３４】
また、検体の識別情報として検体ＩＤ、受付日を検体容器に検体と共に収容されているＩＣタグに記録させているが、更に、検査項目名、検査材料名、患者名、性別、年齢、病院名、カルテ番号等を記録させるようにしてもよい。
【００３５】
【発明の効果】
この発明によれば、収容部内に同一の検体の識別情報を記録した複数のＩＣタグを備えているため、分注した検体にＩＣタグを入れることにより、分注した検体に検体の識別情報を容易に付与することができる。また、検査終了後にＩＣタグを回収して洗浄滅菌を施すことにより、容易にＩＣタグを再利用することができる。更に、ＩＣタグが検体の性状に影響を与えない素材でコーティングされているため、ＩＣタグをコーティングしている素材により検体の検査結果に影響を与えることを防止することができる。
【００３６】
また、検体と共に検体の識別情報を記録したＩＣタグが収容部内に収容されているため、検体の識別情報と検体とを一体として管理することができ、検体の取り違え事故の発生を適切に防止することができる。
【図面の簡単な説明】
【図１】この発明の実施の形態に係る検体容器の外観図である。
【図２】この発明の実施の形態に係る他の検体容器の外観図である。
【図３】この発明の実施の形態に係る検体容器に検体を収容した場合の外観図である。
【図４】この発明の実施の形態に係る検体容器を用いた検体の分注処理に用いる分注装置の概略図である。
【図５】この発明の実施の形態に係る分注装置のブロック構成図である。
【図６】この発明の実施の形態に係る検体の分注処理を説明するためのフローチャートである。
【図７】この発明の実施の形態に係る検体の分注処理を説明するための図である。
【符号の説明】
２…検体容器、４…収容部、６…ＩＣタグ、７…蓋部、１４…検体、２０…分注装置、２２…分注ヘッド、２４…元検体用検体容器、２６…分注検体用検体容器、３０…制御部、３２…分注ヘッド駆動部、３４…ポンプ。
【図１】
2004093520.tif 000003
【図２】
2004093520.tif 000004
【図３】
2004093520.tif 000005
【図４】
2004093520.tif 000006
【図５】
2004093520.tif 000007
【図６】
2004093520.tif 000008
【図７】
2004093520.tif 000009